(57)【要約】【課題】  赤外線検出機構をカメラに内蔵する上で、適切な配置箇所を提案する。【解決手段】  本発明のカメラは、下記の撮像部、焦点検出部、赤外線検出部、および制御部を備える。撮像部は、撮影光学系を介して被写体を撮像する。焦点検出部は、被写体について焦点検出を行う。赤外線検出部は、焦点検出部が取り込む焦点検出用の光束から赤外線を検出し、赤外線の検出結果に基づいて人物の画面内位置を判定する。制御部は、人物の画面内位置に重点を置いて、焦点制御および／または露出制御を実施する。【選択図】      図１
2006220868.tif 000002
【特許請求の範囲】
【請求項１】
撮影光学系を介して被写体を撮像する撮像部と、
焦点検出を行う焦点検出部と、
前記焦点検出部が取り込む焦点検出用の光束から赤外線を検出し、前記赤外線の検出結果に基づいて人物の画面内位置を判定する赤外線検出部と、
前記人物の画面内位置に重点を置いて、焦点制御および／または露出制御を実施する制御部と
を備えたことを特徴とするカメラ。
【請求項２】
請求項１に記載のカメラにおいて、
前記焦点検出部は、
前記撮影光学系の結像光束を瞳分割して一組の分割像を生成し、前記分割像のパターンズレに基づいてデフォーカス量を検出する焦点検出ユニットと、
前記撮影光学系の光路上において前記結像光束を前記焦点検出部へ導くサブミラーとを備え、
前記赤外線検出部は、
前記サブミラーによって前記焦点検出部へ導かれる結像光束から赤外線を分離する赤外線分離手段と、
分離された前記赤外線を検出して、前記人物の画面内位置を判定する人物判定部とを備えた
ことを特徴とするカメラ。
【請求項３】
撮影光学系を介して被写体を撮像する撮像部と、
前記被写体を観察するための光学ファインダと、
前記光学ファインダに取り込まれる光から赤外線を検出し、前記赤外線の検出結果に基づいて人物の画面内位置を判定する赤外線検出部と、
前記人物の画面内位置に重点を置いて、焦点制御および／または露出制御を実施する制御部と
を備えたことを特徴とするカメラ。
【請求項４】
請求項３に記載のカメラにおいて、
前記光学ファインダは、
前記光学ファインダから光を取り込んで測光し、前記露出制御用のデータを得る測光部を備え、
前記赤外線検出部は、
前記測光部へ導かれる光から赤外線を分離する赤外線分離手段と、
分離された前記赤外線を検出して、人物の画面内位置を判定する人物判定部とを備えた
ことを特徴とするカメラ。
【請求項５】
請求項３に記載のカメラにおいて、
前記光学ファインダは、
焦点板と、
前記撮影光学系の結像光束の一部または全部を導いて、前記焦点板に被写体像を投影する光学部材と、
前記焦点板に生じる前記被写体像を観察するための接眼光学系とを備え、
前記赤外線検出部は、
前記焦点板に生じる前記被写体像を、前記接眼光学系とは別の角度から赤外線撮像して、人物の画面内位置を判定する
ことを特徴とするカメラ。
【請求項６】
請求項５に記載のカメラにおいて、
前記光学ファインダは、前記被写体像の赤外線出射角を偏向するホログラム素子を備え、
前記赤外線検出部は、前記赤外線の出射角の光路上に配置される
ことを特徴とするカメラ。
【発明の詳細な説明】
【技術分野】
【０００１】
本発明は、赤外線検出機構を内部に備え、被写界中の人物被写体を赤外線検出によって判定するカメラに関する。特に、本発明は、カメラ内の光路配置や実装スペースなどを勘案して、この赤外線検出機構をカメラ内の適所に配置する工夫に関する。
【背景技術】
【０００２】
従来から、赤外線検出を行って、被写体中の人物を特定するカメラが提案されている。
例えば、特許文献１には、カメラのファインダ画面について赤外線強度分布を検出し、人間の体温付近の表面温度領域を特定する技術が記載されている。
また、特許文献２には、カメラの筐体の外側にセンサレンズを設け、撮影光学系とは別光路で赤外線を検出する技術が記載されている。
【０００３】
【特許文献１】特開平８−１３６９７１号公報（段落００４２，図２）
【特許文献２】特開平７−３６０９１号公報（図１）
【発明の開示】
【発明が解決しようとする課題】
【０００４】
上述の特許文献１には、ファインダ画面について赤外線強度分布を検出するとの記載がある。しかしながら、赤外線検出機構をカメラ内のどこに配置し、赤外線をどのように検出するのかといった点については開示が一切ない。
【０００５】
また、特許文献２は、撮影光学系とは別光路で赤外線を検出する技術である。そのため、近距離撮影では、撮影光学系による撮像画像と、別光路で検出された赤外線との間の視差が生じ、赤外線検出による人物判定の位置にずれが生じる。また、別光路の赤外線検出では、交換レンズやズームレンズによる撮影画角の変化に対応することが困難であり、その点からも正確な人物位置の特定が難しい。
そこで、本発明では、赤外線検出機構をカメラ内の適所に配置する技術を提供することを目的とする。
【課題を解決するための手段】
【０００６】
請求項１のカメラは、下記の撮像部、焦点検出部、赤外線検出部、および制御部を備える。
撮像部は、撮影光学系を介して被写体を撮像する。
焦点検出部は、焦点検出を行う。
赤外線検出部は、焦点検出部が取り込む焦点検出用の光束から赤外線を検出し、その赤外線の検出結果に基づいて人物の画面内位置を判定する。
制御部は、この人物の画面内位置に重点を置いて、焦点制御および／または露出制御を実施する。
【０００７】
請求項２のカメラは、請求項１のカメラにおいて、焦点検出部が、焦点検出ユニット、およびサブミラーを備える。この焦点検出ユニットは、撮影光学系の結像光束を瞳分割して一組の分割像を生成し、分割像のパターンズレに基づいてデフォーカス量を検出する。サブミラーは、撮影光学系の光路上において結像光束を焦点検出部へ導く。
一方、赤外線検出部は、赤外線分離手段、および人物判定部を備える。この赤外線分離手段は、サブミラーによって焦点検出部へ導かれる結像光束から赤外線を分離する。人物判定部は、分離された赤外線を検出して、人物の画面内位置を判定する。
【０００８】
請求項３のカメラは、下記の撮像部、光学ファインダ、赤外線検出部、および制御部を備える。
撮像部は、撮影光学系を介して被写体を撮像する。
光学ファインダは、被写体を観察する手段である。
赤外線検出部は、光学ファインダに取り込まれる光から赤外線を検出し、赤外線の検出結果に基づいて人物の画面内位置を判定する。
制御部は、人物の画面内位置に重点を置いて、焦点制御および／または露出制御を実施する。
【０００９】
請求項４のカメラは、請求項３に記載のカメラにおいて、光学ファインダが、光学ファインダから光を取り込んで測光し、露出制御用のデータを得る測光部を備える。
一方、赤外線検出部は、赤外線分離手段、および人物判定部を備える。この赤外線分離手段は、測光部へ導かれる光から赤外線を分離する。人物判定部は、分離された赤外線を検出して、人物の画面内位置を判定する。
【００１０】
請求項５のカメラは、請求項３に記載のカメラにおいて、光学ファインダが、焦点板と、撮影光学系の結像光束の一部または全部を導いて焦点板に被写体像を投影する光学部材と、焦点板に生じる被写体像を観察するための接眼光学系とを備える。
一方、赤外線検出部は、焦点板に生じる被写体像を、接眼光学系とは別の角度から赤外線撮像して、人物の画面内位置を判定する。
【００１１】
請求項６のカメラは、請求項５に記載のカメラにおいて、光学ファインダは、被写体像の赤外線出射角を偏向するホログラム素子を備える。一方、赤外線検出部は、このホログラム素子による赤外線の出射角の光路上に配置される。
【発明の効果】
【００１２】
一般に、通常の撮影光学系では、波長による屈折率変化のため、赤外線の結像位置と、可視光の結像位置とが光軸方向にずれる（いわゆる軸上色収差）。そのため、焦点検出部に赤外線が入射すると、焦点検出に誤差が生じる。そこで、従来の焦点検出部では、赤外線をカットする必要があった。
そこで、本発明者は、この焦点検出部でカットされていた赤外線を有効利用して、人物判定を行うことを考えた。
この場合、焦点検出用の光束から赤外線を分離しても、焦点検出部が本来必要とする可視光には影響が少なく、焦点検出の精度低下は実用上問題ないレベルに抑えることができる。
また、焦点検出用の光束から赤外線を取り出して検出するため、判定された人物の画面内位置と、焦点検出エリアとの対応付けを正確にとることができる。したがって、請求項１の構成は、人物判定の結果を焦点制御に反映するケースにおいて、特に有効な構成となる。
【００１３】
請求項２のカメラは、サブミラーによって焦点検出ユニットへ導かれる被写体像の結像光束から赤外線を分離する。この分離された光束は撮影光学系を既に通過しているため、結像レンズを別途設置することなく、そのまま結像する。したがって、請求項２の構成では赤外線用の結像レンズを省くことが可能となる。
なお、赤外線の結像距離を短縮するなどの目的から、赤外線の光路上に結像レンズを改めて配置してもかまわない。この場合には、本来結像する赤外線光束であることから、追加配置する結像レンズの屈折パワーを弱めることができる。したがって、結像レンズの収差が小さく抑えられ、比較的鮮明な人物判定が可能になる。
【００１４】
請求項３のカメラは、光学ファインダに取り込まれる光から赤外線を検出して、人物判定を実施する。この構成では、光学ファインダ側に赤外線検出機構を配置するため、撮像部の光路から赤外線検出機構を離すことができる。したがって、撮像部の撮像画像を赤外線検出機構で遮ってしまうおそれが少なく、赤外線検出機構による撮像画像のケラレを防止できる。
【００１５】
請求項４のカメラは、測光部へ導かれる光から赤外線を分離して、人物判定を実施する。
通常の測光部では、目に見えない赤外線を測光しないよう、赤外線をカットする。
そこで、本発明者は、この測光部でカットされていた赤外線を有効利用して、人物判定を行うことを考えた。
この場合、測光用の光束から赤外線を分離しても、測光部が本来必要とする可視光には影響が少なく、測光精度の低下は実用上問題ないレベルに抑えられる。
また、測光用の光束から赤外線を取り出して検出するため、判定された人物の画面内位置と、測光エリアとの対応付けを正確にとることができる。したがって、請求項４の構成は、人物判定の結果を露出制御に反映するケースにおいて、特に有効な構成となる。
【００１６】
請求項５のカメラは、焦点板に生じる被写体像を、接眼光学系とは別の角度から赤外線撮像して人物判定を行う。この場合、接眼光学系と赤外線検出機構とを独立に配置できる。そのため、請求項５のカメラでは、赤外線検出機構の配置自由度が高くなり、カメラ内の実装スペースを考慮した配置が可能になる。
【００１７】
請求項６のカメラは、ホログラム素子によって、赤外線出射角を偏向する。この出射角の光路上に赤外線検出部が配置される。したがって、赤外線検出部は、赤外線の受光効率が高くなり、その分だけ微弱な赤外線を検出することができる。
【発明を実施するための最良の形態】
【００１８】
《第１実施形態》
図１は、第１実施形態のカメラ２００を示す図である。
図１において、カメラ２００には、撮影レンズ１００が交換可能に装着される。このカメラ２００と撮影レンズ１００との接続箇所には、信号接続や駆動力伝達を行うカップリング部１０が設けられる。
【００１９】
この撮影レンズ１００には、レンズ群１、絞り２、駆動機構３、およびデフォーカス量とレンズ駆動量との対応関係などの情報を記憶したレンズデータ部４が設けられる。
一方、カメラ２００には、撮影光軸に沿って、クイックリターンミラー１３、およびサブミラー１４が位置する。これらミラーの背後には、シャッター１１および撮像素子１２が配置される。なお、銀塩カメラの場合には、撮像素子１２に代えて、フィルムが配置される。
【００２０】
このクイックリターンミラー１３の反射方向には、焦点板１９、ペンタプリズム（またはペンタミラーなどの反射光学系）６、および接眼レンズ１５からなる光学ファインダが配置される。ペンタプリズム６の付近には、分割測光部１７も配置される。この分割測光部１７は、接眼レンズ１５とは別の角度から焦点板１９に形成される被写体像の光を取り込み、分割測光を実施する。
【００２１】
また、サブミラー１４は、クイックリターンミラー１３の中央を透過した結像光束を反射する。このサブミラー１４の反射方向には、赤外反射フィルタ１６および焦点検出ユニット５が配置される。
この赤外反射フィルタ１６は、焦点検出に必要な可視光を透過し、焦点検出に不要な赤外線を反射する。赤外反射フィルタ１６で反射された赤外線光束は、本来が撮影レンズ１００の結像光束であるため、赤外線像をそのままで結像する。この赤外線像の結像位置には、赤外線撮像部１８が配置される。この赤外線撮像部１８は、人物の体表面から放射される赤外線波長域に感度を有する。
【００２２】
一方、赤外反射フィルタ１６を透過した可視光は、焦点検出ユニット５に入射する。従来の焦点検出ユニットは、不要な赤外線を取り除くために、赤外カットフィルタを備えていた。しかしながら、第１実施形態では、赤外反射フィルタ１６によって赤外線が取り除かされるため、この赤外カットフィルタが省かれている。
この焦点検出ユニット５は、公知の瞳分割位相差検出方式のブロック部品である。すなわち、この焦点検出ユニット５では、可視光の結像光束を瞳分割して一組の分割像を生成し、その分割像のパターンズレに基づいてデフォーカス量を検出する。
【００２３】
なお、カメラ２００には、システムコントロール用のマイクロプロセッサ９が設けられる。このマイクロプロセッサ９は、赤外線撮像部１８、分割測光部１７、焦点検出ユニット５の検出情報を処理する。また、マイクロプロセッサ９は、この検出情報の処理結果に基づいてルックアップテーブル（ＬＵＴ）７を参照し、焦点制御および／または露出制御を実施する。この焦点制御は、マイクロプロセッサ９が、駆動機構３およびボディー内モータ８（またはレンズ内モータ）を制御して、レンズ群１内のフォーカルレンズ群を前後移動させることによって実施される。また、露出制御は、マイクロプロセッサ９が、撮影時の絞り値および露光時間などを制御することによって実施される。
【００２４】
［第１実施形態の動作説明］
図２は、赤外線検出による人物判定動作を説明する流れ図である。
以下、図２に示すステップ番号に沿って、第１実施形態の動作を説明する。
【００２５】
ステップＳ１：  マイクロプロセッサ９は、レリーズ釦（不図示）の接点信号から、レリーズ釦が半押し状態か否かを判定する。
ここで、半押し状態であれば、マイクロプロセッサ９はステップＳ２に動作を移行する。
半押し状態でなければ、マイクロプロセッサ９はステップＳ１に動作を戻す。
【００２６】
ステップＳ２：  マイクロプロセッサ９は、焦点検出ユニット５から焦点検出エリアごとに、分割像のパターンズレを算出する。マイクロプロセッサ９は、このパターンズレに基づいて、画面内の複数エリアのデフォーカス量を求める。
【００２７】
ステップＳ３：  マイクロプロセッサ９は、分割測光部１７の各画素値から、画面内の輝度分布を検出する。
【００２８】
ステップＳ４：  マイクロプロセッサ９は、この赤外線撮像部１８から得た赤外線像の撮像結果に基づいて、人物（動物のように温度の近い温熱被写体も含む）の画面内位置とその領域範囲を検出する。
なお、マイクロプロセッサ９は、撮影レンズ１００側から撮影距離と焦点距離の情報を取得して撮影倍率を算出し、人物の大きさ条件（縦寸法、面積、円半径など）を決定する。マイクロプロセッサ９は、この大きさ条件に合致する赤外線像の領域のみを選択する。このような処理により、人物判定の正答率を高めることが可能になる。
【００２９】
ステップＳ５：  マイクロプロセッサ９は、人物の画面内位置に合致する焦点検出エリアを選択し、焦点制御に使用する焦点検出エリア（以下『選択エリア』という）とする。なお、人物の領域範囲が広くて複数の焦点検出エリアを包含する場合、マイクロプロセッサ９は、これら焦点検出エリアをグループ選択し、そのグループ内からデフォーカス量が最至近を示すエリアを選択エリアとする。
【００３０】
ステップＳ６：  カメラ２００がマニュアルフォーカスモードに設定されている場合、選択エリアに対するフォーカスエイド動作のみを実施し、焦点制御を行わない。
一方、カメラ２００がオートフォーカスモードに設定されている場合、マイクロプロセッサ９は、選択エリアのデフォーカス量を、レンズデータ部４に照会して、レンズ駆動量を決定する。このレンズ駆動量に従って、ボディー内モータ８（またはレンズ内モータ）を駆動して撮影レンズ１００を焦点制御する。この焦点制御により、画面内の人物被写体の箇所にピントを合わせることが可能になる。
なお、カメラ２００がＡＦ−Ｓ（シングルＡＦ）モードに設定されている場合は、人物被写体に合焦した時点で焦点制御をロックする。
【００３１】
ステップＳ７：  マイクロプロセッサ９は、人物の画面内位置に重点をおいて、分割測光部１７の輝度分布を重み付け評価し、評価測光値を求める。マイクロプロセッサ９は、この評価測光値をＬＵＴ７に照会して、露出（絞り値、露出時間、または撮像感度など）を決定する。
【００３２】
ステップＳ８：  マイクロプロセッサ９は、レリーズ釦（不図示）の接点信号から、レリーズ釦が全押し状態か否かを判定する。
ここで、全押し状態であれば、マイクロプロセッサ９はステップＳ９に動作を移行する。
全押し状態でなければ、マイクロプロセッサ９はステップＳ１に動作を戻す。
【００３３】
ステップＳ９：  マイクロプロセッサ９は、クイックリターンミラー１３およびサブミラー１４を跳ね上げ、撮影光路から待避させる。
【００３４】
ステップＳ１０：  カメラ２００がＡＦ−Ｃ（コンティニュアスＡＦ）モードに設定されている場合、マイクロプロセッサ９は、デフォーカス量の過去履歴から選択エリアの予想デフォーカス量を算出する。マイクロプロセッサ９は、この予想デフォーカス量に応じて焦点制御を実施する。
【００３５】
ステップＳ１１：  カメラ２００がマニュアル露出モードに設定されている場合、マイクロプロセッサ９は、マニュアル設定値に従って露出制御を実施する。
一方、マニュアル露出モード以外に設定されている場合、マイクロプロセッサ９は、ステップＳ７で決定された露出（絞り値、露出時間、または撮像感度など）に従って、露出制御を実施する。例えば、マイクロプロセッサ９は、絞り２の絞り値、シャッター１１の開閉時間間隔、撮像素子１２の電荷蓄積時間（電子シャッター）、撮像素子１２の信号ゲイン（撮像感度）などによって被写体像の露出を制御する。
【００３６】
ステップＳ１２：  マイクロプロセッサ９は、クイックリターンミラー１３およびサブミラー１４を下降させる。
【００３７】
ステップＳ１３：  撮像素子１２から画像信号が走査読み出しされる。この画像信号は、不図示の画像処理部や画像圧縮部などを経て画像処理された後、メモリカードに記録保存される。（なお、銀塩カメラの場合には、フィルム巻き上げなどを行う。）
【００３８】
［第１実施形態の効果など］
一般に、撮影レンズ１００の軸上色収差によって、可視光と赤外線とでは結像位置が大きくずれる。そのため、焦点検出ユニット５に赤外線が入射すると、デフォーカス量の検出精度が低下する。第１実施形態の構成では、この焦点検出に本来不要な赤外線を人物判定に有効利用することができる。
【００３９】
また、第１実施形態の構成では、焦点検出用の光束から直に人物判定を行うため、人物の検出位置と、焦点検出エリアとの対応を正確にとることができる。したがって、第１実施形態の構成は、焦点検出エリアが数十点に増えても、人物の位置する焦点検出エリアを高精度に特定できるといった点で非常に優れている。
【００４０】
さらに、第１実施形態の構成では、撮影レンズ１００を通過した赤外線の結像光束を、人物判定に利用する。この結像光束は、そのまま赤外線像を結像するため、赤外線用の結像レンズを新たに設ける必要がない。また、高性能な撮影レンズ１００によって高精細な赤外線像が得られるため、人物判定の境界線などを正確に検出することが可能になる。
【００４１】
《第２実施形態》
図３は、第２実施形態の構成を示す図である。
第２実施形態の特徴は、分割測光部１７の入射光路に赤外反射フィルタ１６ａを配置し、赤外反射フィルタ１６ａの反射方向に、赤外線撮像部１８ａを配置した点である。なお、分割測光部１７の結像レンズの手前から赤外線を分離する場合には、赤外線撮像部１８ａの前に、赤外線用の結像レンズを配置する。この場合、焦点板１９の平面全域にピントが合うように、結像レンズと赤外線撮像部１８ａをアオリ配置またはシフト配置することが好ましい。また、この結像レンズの代わりに、赤外反射フィルタ１６を、結像レンズと光学的に透過な反射凹面にしてもよい。
上述した構成により、第２実施形態では、測光用の光束から赤外線を分離して、人物判定を行うことが可能になる。
【００４２】
さらに、第２実施形態では、ペンタプリズム６の付近に、赤外線の検出機構を配置する。したがって、この赤外線の検出機構が撮像素子１２に結像する撮像光束を遮ることがなく、撮像素子１２で撮像する画像にケラレなどの問題が生じない。
【００４３】
また、第２実施形態では、赤外反射フィルタ１６ａによって赤外線が分離されるため、分割測光部１７の赤外線カットフィルタを省くことができる。
【００４４】
さらに、第２実施形態の構成では、分割測光用の光束から直に人物判定を行うため、人物の検出位置と、測光結果である輝度分布との対応を正確にとることができる。そのため、分割測光部１７の測光画素を多画素化しても、人物の判定領域と測光画素との対応を高精度にとることができる。その結果、第２実施形態の赤外線検出機構は、人物領域に重点をおいて輝度分布の重み付け評価を精細に行う場合に適している。
【００４５】
《第３実施形態》
図４は、第３実施形態の構成を示す図である。
第３実施形態の特徴は、接眼レンズ１５（請求項記載の接眼光学系に対応）や分割測光部１７とは別の角度から焦点板１９の被写体像を観察可能な位置に、赤外線用の結像レンズ、および赤外線撮像部１８ｂを配置した点である。この赤外線撮像部１８ｂの受光面側には、赤外線を透過する赤外線透過フィルタが配置される。
【００４６】
カメラ２００では、撮影レンズ１００の結像光束がクイックリターンミラー１３（請求項記載の光学部材に対応）に反射され、焦点板１９に被写体像を投影する。第３実施形態では、この被写体像から赤外線を検出して、人物判定を行う。
特に、第３実施形態では、ペンタプリズム６の付近に赤外線検出機構を配置する。そのため、赤外線検出機構が撮像素子１２に結像する撮像光束を遮ることがなく、撮像素子１２で撮像する画像にケラレが生じない。
なお、第３実施形態では、焦点板１９の平面全域にピントが合うように、結像レンズと赤外線撮像部１８ａをアオリ配置またはシフト配置することが好ましい。
【００４７】
《第４実施形態》
図５は、第４実施形態の構成を示す図である。
第４実施形態の特徴は、上述した第３実施形態の構成に、ホログラム素子の一種である回折光学素子２７を追加した点である。この回折光学素子２７は、例えば焦点板１９に近接して配置される。回折光学素子２７の回折現象によって、人体の体表面から放射される赤外線の出射角は、赤外線撮像部１８へ向けて偏向される。この回折光学素子２７は、例えば、液晶で出来た回折格子によって所定の波長域の光を曲げる作用を持たせてある。
【００４８】
このように、回折光学素子２７によって赤外線撮像部１８の赤外線受光効率を高めることが可能になる。そのため、より微弱な赤外線を高感度に検出することが可能になり、より遠方の人物を判定することが可能になる。
【００４９】
《実施形態の補足事項》
なお、上述した実施形態では、電子カメラについて説明した。しかしながら、本発明はこれに限定されるものではない。例えば、撮像素子１２をフィルム供給機構に代えることにより、本発明を銀塩カメラに適用することができる。
【００５０】
また、上述した実施形態では、人物中心の撮影モード（ポートレートモード、人物用の画質設定モードなど）の設定時に、人物の判定位置に焦点や露出を合わせることが好ましい。その結果、風景などの撮影時に、人物に焦点や露出が合ってしまうといった不具合を防ぐことができる。
なお、第１実施形態において、赤外線撮像部１８をクイックリターンミラー１３の背面に固定してもよい。このような構成では、クイックリターンミラー１３の跳ね上げに従って、赤外線撮像部１８が撮影光路から待避させることが可能になる。この場合、赤外線撮像部１８によって、撮影光路にケラレが生じるといった弊害が生じない。
【００５１】
また、接眼レンズ１５の光軸上（図３に示す『Ａ』の位置など）に、赤外反射フィルタおよび赤外線撮像部を配置することも可能である。また、焦点板１９を下方から見る位置（図４に示す『Ｂ』，『Ｃ』の位置など）に、赤外線透過フィルタおよび赤外線撮像部を配置することも可能である。このような位置に赤外線検出機構を配置することにより、人物の判定位置と、撮影者のファインダ観察像との対応を正確にとることが可能になる。
【産業上の利用可能性】
【００５２】
以上説明したように、本発明は、カメラなどに利用可能な技術である。
【図面の簡単な説明】
【００５３】
【図１】第１実施形態のカメラ２００を示す図である。
【図２】赤外線検出による人物判定動作を説明する流れ図である。
【図３】第２実施形態の構成を示す図である。
【図４】第３実施形態の構成を示す図である。
【図５】第４実施形態の構成を示す図である。
【符号の説明】
【００５４】
５  焦点検出ユニット
９  マイクロプロセッサ
１１  シャッター
１２  撮像素子
１４  サブミラー
１５  接眼レンズ
１６，１６ａ  赤外反射フィルタ
１７  分割測光部
１８，１８ａ，１８ｂ  赤外線撮像部
２７  回折光学素子
【図１】
2006220868.tif 000003
【図２】
2006220868.tif 000004
【図３】
2006220868.tif 000005
【図４】
2006220868.tif 000006
【図５】
2006220868.tif 000007